(57)【要約】【課題】安定したカラー画像を形成する画像形成装置を提供すること。【解決手段】複数の感光体と、各感光体上にトナー像を形成する画像形成手段と、前記トナー像を中間転写体に転写する転写手段と、前記中間転写体上のトナー像の濃度を検知する濃度検知手段と、を有する画像形成装置において、各転写手段の転写出力を決定するに当たり、各感光体上に複数個のトナーパッチを形成し、転写出力決定に係わる転写手段の転写出力を変化させ、他の転写手段の転写出力は変化させないで、前記感光体上のトナーパッチを単色と複数色重ね合わせのトナーパッチとして前記中間転写体上に転写し、前記濃度検知手段にて検知された単色と複数重ね合わせのトナーパッチの画像濃度に基づいて、前記転写出力決定に係わる転写手段の転写出力を決定する制御手段を有することを特徴とする画像形成装置。【選択図】図２
2009109716.tif 000002
【特許請求の範囲】
【請求項１】
複数の感光体と、各感光体上にトナー像を形成する画像形成手段と、前記トナー像を中間転写体に転写する転写手段と、前記中間転写体上のトナー像の濃度を検知する濃度検知手段と、を有する画像形成装置において、各転写手段の転写出力を決定するに当たり、各感光体上に複数個のトナーパッチを形成し、転写出力決定に係わる転写手段の転写出力を変化させ、他の転写手段の転写出力は変化させないで、前記感光体上のトナーパッチを単色と複数色重ね合わせのトナーパッチとして前記中間転写体上に転写し、前記濃度検知手段にて検知された単色と複数重ね合わせのトナーパッチの画像濃度に基づいて、前記転写出力決定に係わる転写手段の転写出力を決定する制御手段を有することを特徴とする画像形成装置。
【請求項２】
複数の感光体と、各感光体上にトナー像を形成する画像形成手段と、前記トナー像を回動する用紙搬送ベルトで送られた用紙に転写する転写手段と、転写されたトナー像の濃度を検知する濃度検知手段と、を有する画像形成装置において、各感光体上に複数のトナーパッチを作成し、転写出力決定に係わる転写手段の転写出力は段階的に変化させ、他の転写手段の転写出力は変化させないで、前記感光体上のトナーパッチを単色と複数重ね合わせのトナーパッチとして前記用紙搬送ベルト上に転写し、前記濃度検知手段にて検知された単色と複数色重ね合わせのトナーパッチの画像濃度に基づいて、前記転写出力決定に係わる転写手段の転写出力を決定する制御手段を有することを特徴とする画像形成装置。
【請求項３】
前記転写出力決定に係わる転写手段の転写出力の決定には、前記トナーパッチの画像濃度から作られた複数色重ね合わせ画像の濃度曲線の中の最も大きい転写率ピーク領域の中央部出力以上を使用することを特徴とする請求項１または２に記載の画像形成装置。
【請求項４】
下流側の転写手段からその転写出力を順に決定することを特徴とする請求項１ないし３のいずれか１項に記載の画像形成装置。
【請求項５】
用紙の種類に対応して転写出力を補正することを特徴とする請求項２に記載の画像形成装置。
【発明の詳細な説明】
【技術分野】
【０００１】
本発明は、電子写真方式の複写機やプリンタ等に用いられる画像形成装置に関し、特に複数の各色の画像形成手段をタンデム方式で配置してなる画像形成装置に関する。
【背景技術】
【０００２】
従来、電子写真方式の複写機やプリンタ等に用いられる画像形成装置において、複数の感光体上にそれぞれ異なる色に対応する静電潜像を形成し、これらの静電潜像をそれぞれの色で現像して各感光体上に各色のトナー像を形成し、それらの各色のトナー像を所定の方向に回転する中間転写体上に順次重ね合わせる様にして１次転写し、その１次転写されたトナー像を所定の記録媒体に２次転写し、定着することにより記録媒体上に画像を記録する、いわゆる中間転写方式の画像形成装置が知られている。
【０００３】
画像形成装置は、常に同一条件にて画像を再生、つまり画像形成を行うと、徐々に画質が劣化していく。この画質の劣化は、経時的な変化、例えば、画像形成回数に応じて、感光体の帯電性、現像剤の劣化等が変化することで初期の画像濃度が得られなくなることに基づく。
【０００４】
特に、カラー画像形成装置においては、上記の感光体、現像剤等の劣化に伴って、それぞれの色を転写体に転写する際の転写出力がその都度最適値から乖離するために、転写されたトナー像が期待した色味と異なったものとなり易い。また、ベタ／ハーフトーン画像形成の場合に粗大トナー粒子周辺の転写ヌケや、トナー量と転写電荷量の不均衡による放電ノイズ等が発生しやすくなる問題が生じる。
【０００５】
これらの問題は転写出力が正確に制御できれば回避でき、あるいは転写出力設定値を変更することで回避できる。
【０００６】
転写手段の出力方法としては定電圧制御方式と定電流方式がある。
【０００７】
従来は、転写手段である転写ローラに電流を流すか、あるいは電圧を印加して、電流値の場合には電圧値を、電圧印加の場合はには電流値をモニターして転写出力を決定している。
【０００８】
公知例として、形成されるカラー画像の画質を常に一定条件に保つために、転写出力を決定し、転写体にトナーパッチを安定して形成できる領域を選定する方法がある。例えばパターン像（トナーパターン）を形成するための領域を選定するために、現像装置の現像バイアス電圧を制御しながら、転写体（ドラム）の全周に一定条件でトナーパッチを形成し、当該トナーパッチの濃度を濃度検知センサにて検出し、検出結果からＣＰＵにて安定したトナーパッチを形成する最良な領域を選定することによって画像補償制御をより向上させる方法がある（例えば、特許文献１参照）。
【特許文献１】特開平１１ー２１２３１５号公報
【発明の開示】
【発明が解決しようとする課題】
【０００９】
しかしながら、上記公知例は、単色のトナーパッチのみからプロセス条件である現像バイアスあるいは転写出力を制御しており、単色を重ね合せたカラー画像の場合は、単色のトナーパッチのみからの情報でプロセス条件を制御するだけでは、複数色重ね合わせ（以下、「複数色」を省略する。）のカラー画像を形成に当たり、適正な転写出力を設定することが難しく、期待した色味が得られないことが多い。
【００１０】
本発明は、単色トナーパッチと重ね合わせトナーパッチとからの転写出力情報も取り入れ、より適正な転写出力を設定し、安定したカラー画像を形成する画像形成装置を提供することを目的とする。
【課題を解決するための手段】
【００１１】
上記目的は、下記の構成によって達成される。
【００１２】
（１）複数の感光体と、各感光体上にトナー像を形成する画像形成手段と、前記トナー像を中間転写体に転写する転写手段と、前記中間転写体上のトナー像の濃度を検知する濃度検知手段と、を有する画像形成装置において、各転写手段の転写出力を決定するに当たり、各感光体上に複数個のトナーパッチを形成し、転写出力決定に係わる転写手段の転写出力を変化させ、他の転写手段の転写出力は変化させないで、前記感光体上のトナーパッチを単色と複数色重ね合わせのトナーパッチとして前記中間転写体上に転写し、前記濃度検知手段にて検知された単色と複数重ね合わせのトナーパッチの画像濃度に基づいて、前記転写出力決定に係わる転写手段の転写出力を決定する制御手段を有することを特徴とする画像形成装置。
【００１３】
（２）複数の感光体と、各感光体上にトナー像を形成する画像形成手段と、前記トナー像を回動する用紙搬送ベルトで送られた用紙に転写する転写手段と、転写されたトナー像の濃度を検知する濃度検知手段と、を有する画像形成装置において、各感光体上に複数のトナーパッチを作成し、転写出力決定に係わる転写手段の転写出力は段階的に変化させ、他の転写手段の転写出力は変化させないで、前記感光体上のトナーパッチを単色と複数重ね合わせのトナーパッチとして前記用紙搬送ベルト上に転写し、前記濃度検知手段にて検知された単色と複数色重ね合わせのトナーパッチの画像濃度に基づいて、前記転写出力決定に係わる転写手段の転写出力を決定する制御手段を有することを特徴とする画像形成装置。
【発明の効果】
【００１４】
単色トナーパッチおよび重ね合わせトナーパッチからの情報で、より適正な転写出力を設定できるので、安定したカラー画像を提供することができる。
【発明を実施するための最良の形態】
【００１５】
はじめに、本発明の画像形成装置について図１を基に説明する。
【００１６】
本発明の実施の形態における説明では、本明細書に用いる用語により技術範囲が限定されることはない。
【００１７】
図１は画像形成装置の全体構成の一例を示す模式図である。
【００１８】
図１において、１０は像担持体である感光体、１１は帯電手段であるスコロトロン帯電器、１２はデジタル式像露光手段である書込装置、１３は現像手段である現像器、１４は感光体１０の表面を清掃するためのクリーニング装置、１５は感光体１０のクリーニング用のブレード、１６は現像スリーブ、２０は中間転写体である中間転写ベルトを示す。
【００１９】
画像形成手段１は感光体１０、スコロトロン帯電器１１、現像器１３、およびクリーニング装置１４等からなっており、各色毎の画像形成手段１の機械的な構成は同じであるので、図１ではＹ（イエロー）系列のみの構成について参照符号を付けており、Ｍ（マゼンタ）、Ｃ（シアン）およびＫ（黒）の構成要素については参照符号を省略した。
【００２０】
各色毎の画像形成手段１の配置は中間転写ベルト２０の走行方向に対して、Ｙ、Ｍ、Ｃ、Ｋの順になっており、各感光体１０は中間転写ベルト２０の張設面に接触し、接触点で中間転写ベルト２０の走行方向と同方向、かつ、同線速度で回転する。
【００２１】
中間転写ベルト２０は駆動ローラ２１、アースローラ２２、テンションローラ２３、除電ローラ２７、従動ローラ２４に張架され、これらのローラと中間転写ベルト２０、転写手段である（１次転写）転写ローラ２５、クリーニング手段であるクリーニング装置２８等でベルトユニット３を構成する。なお、前記アースローラ（バックアップローラ）２２は、アルミ地肌のままの導電性アルミローラで、接地されている。
【００２２】
感光体１０は、例えばアルミ材によって形成される円筒状の金属基体の外周に導電層、ａ−Ｓｉ層あるいは有機感光体（ＯＰＣ）等の感光層を形成したものであり、導電層を接地した状態で図１の矢印で示す反時計方向に回転する。
【００２３】
読み取り装置８０からの画像データに対応する電気信号は、不図示の画像形成レーザで光信号に変換され、書込装置１２によって感光体１０上に投光される。
【００２４】
現像器１３は、感光体１０の周面に対し所定の間隔を保ち、感光体１０の回転方向と逆方向に回転する円筒状の非磁性ステンレスあるいはアルミ材で形成された現像スリーブ１６を有している。
【００２５】
中間転写ベルト２０の走行は不図示の駆動モータによる駆動ローラ２１の回転によって行われる。当該中間転写ベルト２０の材質は、体積抵抗率１０6〜１０12Ω・ｃｍの無端ベルトであり、例えば変性ポリイミド、熱硬化ポリイミド、エチレンテトラフルオロエチレン共重合体、ポリフッ化ビニリデン、ナイロンアロイ等のエンジニアリングプラスチックに導電材料を分散した、厚さ０．０４〜０．１０ｍｍの半導電性フィルム基体の外側に、好ましくはトナーフィルミング防止層として厚さ５〜５０μｍのフッ素コーティングを行った、２層構成のシームレスベルトである。ベルトの基体としては、この他に、シリコンゴム或いはウレタンゴム等に導電材料を分散した厚さ０．５〜２．０ｍｍの半導電性ゴムベルトを使用することもできる。
【００２６】
転写ローラ２５には、トナーと逆極性の直流電圧が印加され、感光体１０上に形成されたトナー像を中間転写ベルト２０上に（１次）転写させる機能を有する。後述するが、本発明においては、当該転写ローラ２５に印加される各色の転写出力を自動的に決定することによって安定したカラー画像を形成することができる。
【００２７】
２６は（２次転写）転写ローラで、表面がコート層で覆われた導電性のソリッドゴムからなり、トナーと逆極性バイアス電圧が印加されいる（または、アースローラ２２にトナーと同極性の電圧を印加し、転写ローラ２６はアースでもよい。）。また、当該転写ローラ２６は、ベルトを介して不図示の圧着機構によってアースローラ２２から当接および当接解除可能な構造で、当接時に、アースローラ２２とで形成されたニップ部Ｓで、中間転写ベルト２０上に形成されたトナー像を転写材Ｐに再転写（２次転写）する。
【００２８】
除電ローラ２７には、トナーと同極性または逆極性の直流電圧を重畳した交流電圧が印加され、トナー像を転写材Ｐに転写後、中間転写ベルト２０に残留するトナーの電荷を弱めている。
【００２９】
４は定着手段である定着装置で、加熱ローラ４１と圧着ローラ４２を有している。
【００３０】
前記加熱ローラ４１は薄手のアルミから形成された円筒状のもので、内側から所定の温度まで加熱するハロゲンヒータ４７等を有し、その温度は、前記加熱ローラ４１に設置された不図示の接触温度センサにより検出され、制御手段である制御部Ｂ１によって制御される。
【００３１】
７０は紙送り出しローラ、７１はタイミングローラ、７２は紙カセット、７３は搬送ローラである。８１は排紙ローラで、定着された用紙Ｐを排紙皿８２へ排出する。
【００３２】
制御部Ｂ１は、転写出力制御等の画像形成プロセス制御、定着温度制御、転写材搬送制御等を行う。
【００３３】
次に、図１に基づいて画像形成プロセスを説明する。
【００３４】
画像記録のスタートと同時に不図示の感光体駆動モータの始動により色信号Ｙの感光体１０は矢印で示す反時計方向に回転され、同時にスコロトロン帯電器１１の帯電作用により感光体１０に電位の付与が開始される。
【００３５】
感光体１０は電位を付与されたあと、書込装置１２によってＹの画像データに対応する画像の書込みが開始され、感光体１０の表面に原稿画像のＹの画像に対応する静電潜像が形成される。
【００３６】
前記静電潜像はＹの現像器１３により非接触の状態で反転現像され、感光体１０の回転に応じＹのトナー像が感光体１０上に形成される。
【００３７】
当該感光体１０上に形成されたＹのトナー像は、Ｙの転写極２５の作用により、中間転写ベルト２０上に１次転写される。
【００３８】
その後、前記感光体１０はクリーニングのブレード１５によって残留トナーが清掃され、次の画像形成サイクルにはいる（以下、Ｍ、Ｃ、Ｋのクリーニングプロセスにても同様故、説明を省略する）。
【００３９】
次いで、書込装置１２によってＭ（マゼンタ）の色信号すなわちＭの画像データに対応する画像書き込みが行われ、感光体１０の表面に原稿画像のＭの画像に対応する静電潜像が形成される。当該静電潜像は、Ｍの現像器１３により感光体１０上にＭのトナー像となり、Ｍの転写ローラ２５において、中間転写ベルト２０上の前記Ｙのトナー像と同期が取られ、前記Ｙのトナー像の上に重ね合わされる。
【００４０】
同様のプロセスにより、Ｙ、Ｍの重ね合わせトナー像と同期が取られ、Ｃ（シアン）のトナー像が、Ｃの転写ローラ２５において、前記のＹ、Ｍの重ね合わせトナー像上へ重ね合わされる。次に、すでに形成されているＹ、Ｍ、Ｃの重ね合わせトナー像と同期が取られ、Ｋのトナー像が、最終の転写手段であるＫの転写ローラ２５において、前記のＹ、Ｍ、Ｃの重ね合わせトナー像上へ重ね合わされ、Ｙ、Ｍ、ＣおよびＫの重ね合わせトナー像が形成される。
【００４１】
重ね合わせトナー像が担持されている中間転写ベルト２０は矢印のように時計方向に送られ、用紙Ｐが紙カセット７２より、紙送り出しローラ７０によって送り出され、搬送ローラ７３を経て、タイミングローラ７１へ搬送され一時停止し、その後前記タイミングローラ７１の駆動によって、中間転写ベルト２０上の重ね合わせトナー像と同期がとられて、トナーと逆極性の直流電圧が印加されている転写ローラ２６（中間転写ベルト２０に当接状態にある）のニップ部Ｓに給送され、中間転写ベルト２０上の重ね合わせトナー像が一括して用紙Ｐに２次転写される。
【００４２】
その後、中間転写ベルト２０は走行し、除電ローラ２７によって残留トナーの電荷が弱められ、クリーニング装置２８でベルト上の残存トナーがクリーニング装置２８のブレード２９によって清掃され、次の画像形成サイクルに入る。
【００４３】
掻き落とされたトナーは、クリーニング装置２８内に溜められ、不図示の搬送スクリューの回転によって軸方向（図において紙表面から紙裏面方向）に搬送し、不図示の廃棄管を介して貯留箱に溜められる。
【００４４】
前記重ね合わせ画像（トナー像）が転写された用紙Ｐは、定着装置４へと送られ、加熱ローラ４１と加圧ローラ４２とのニップ部Ｔで挟持、加圧され定着される。トナー像が定着された用紙Ｐは、排紙ローラ８１によって排紙皿８２へ搬送される。
【００４５】
次に、本発明に係わる、感光体上のトナー像を転写体（中間転写ベルト）に転写するための転写出力の決定について説明する。
【００４６】
前述したが、カラー画像形成装置の場合、感光体、現像剤等の劣化に伴って、それぞれの色を転写体に転写する際の転写出力がその都度最適値から乖離するために、転写されたトナー像が期待した色味と異なったものとなり易い。
【００４７】
本発明は、カラー（単色）のトナーパッチ（単に、トナー画像または画像ともいう。）をそれぞれの色に対応した感光体上に形成し、これらのトナーパッチを中間転写ベルトに、単色と複数色（２色）重ね合わせのトナーパッチとして形成し、これらのトナーパッチの画像濃度を濃度検知手段である画像濃度検知センサで検知し、その検出情報から最適な転写出力を自動的に決定することを特徴としている。
【００４８】
例えば、一例として２つの転写がある場合（２つのトナー色の場合）、一方の転写出力決定に係わる転写手段の転写出力を自動で決める方法について説明すると、一方の転写出力決定に係わる転写手段の転写出力を段階的に変化させながら、他方の転写手段は通常画像形成時の転写出力のままで、各感光体上に形成された複数のトナーパッチを、２つの単色と１つの重ね合わせトナーパッチ、計３種を中間転写体に転写し、２つの転写手段の下流に設けられた画像濃度検知センサで前記トナーパッチの濃度を読み込む。その結果、トナーパッチは転写出力決定に係わる転写手段または他方の転写手段を通過するため、各単色のトナーパッチは変化する転写出力の影響を受け、粗大トナー粒子周辺の転写ヌケ、逆転写（トナー戻り）、色味の変化等が発生しやすくなる。この転写出力決定に係わる転写手段の変化する転写出力に対応する（影響を受けた）各トナーパッチの濃度の関係から転写性曲線ができ、制御部に記憶される。転写出力決定に係わる転写手段の転写出力は、転写曲線の最も大きい転写率ピーク（平らな部分）領域の中央部以上の転写出力を最適な転写出力として決定することができる。
【００４９】
上記をまとめると、中間転写体上に、転写出力を決定しようとする転写手段の上流側の転写手段で通常画像形成時の転写出力（変化させないで）で複数のトナーパッチを作り、次に下流側にある転写出力決定に係わる転写手段でも同様なトナーパッチを作り、さらに前記上流側、前記下流側２つの色のトナーとを重ね合わせたトナーパッチも作り、段階的に変化する転写出力に対応する各トナーパッチの濃度からできる３ツの転写性曲線から、転写出力変化に対応する濃度の影響を把握して最適な転写出力を決定する方法である。
【００５０】
なお、上記の方法によって転写出力を自動で決定する順番は、下流側の色の転写から実施するのが好ましい。
【００５１】
次に、上記と同様な方法で４色（Ｙ、Ｍ、Ｃ，Ｋ）のトナー場合のうち、Ｃに関する転写出力を決定する場合について実施例１として図２で説明する。
＜実施例１＞
図２は、中間転写ベルト上の所定位置に形成されたトナーパッチを示す。
【００５２】
本実施の形態においては、Ｃの転写出力を決定するにあたり、Ｃの色と、上流側の各Ｙ、Ｍの色と、これら各２つを重ね合わせた色（Ｙ／Ｍ、Ｍ／Ｃ、Ｙ／Ｃ）のトナーパッチとを各々９個を中間転写ベルト２０上の所定の位置にベルト走行方向所定間隔で形成する。また、上流側のトナーパッチは各々の転写手段の転写出力と同期がとられていずれかの転写領域を通過する。さらに、最終の転写手段（Ｋ）の下流側に、前記トナーパッチが必ず通過する位置に画像濃度検知センサＳＮ１が１個配置されている。例えば、図２（ｂ）に示すように、トナーパッチＹ１、Ｙ２、Ｙ３、・・・・・Ｙ９が、出力変化するＣ転写極を通過する。通過の際、Ｙ１には３０μＡ、Ｙ２には３５μＡ・・・・Ｙ９には７０μＡの転写出力がかかると、Ｃ転写出力がＹトナーパッチ濃度へ影響を与える。これにより変化するＹの濃度を検知する。この検出をＭ、Ｃ、および２色重ね合わせトナーパッチについても同様に実施する。前記濃度検知センサＳＮ１は各々のトナーパッチの濃度を検知する。検知した情報は制御部Ｂ１に伝達され、制御部Ｂ１で図３で示すようなＣの転写出力値に対応したトナー濃度との関係情報が把握され、転写性曲線が作成され、制御部Ｂ１に記憶される。制御部Ｂ１は、転写曲線の重ね合わせ色の中、最も大きい転写率ピーク領域の中央部出力（電流値）以上を自動で選択し、不図示の転写電源にその出力を指令する。
【００５３】
２色重ね合わせ画像の曲線おける転写率ピーク領域幅（フラットな電流値幅）のある場合は、粗大粒子による白ヌケ／ホタル等の発生を避けるため、転写率ピーク領域幅の中央部以上の出力領域を使用することを前提とする。
【００５４】
ただし、出力値が、単色転写性曲線においては著しく転写性が低くなっている領域であれば、２色重ね合わわせ転写性曲線のピーク中央より前半部を使用出力値とすることもある。
【００５５】
なお、制御部Ｂ１内には、検出された単色および重ね合わせトナーパッチの濃度情報により転写性曲線が形成され、最適な単色転写出力が自動的に決定されるようなプログラムが内蔵されている。
【００５６】
図３は、Ｃ転写出力と各色９個のトナーパッチ濃度の関係を示す転写性曲線である。最適転写出力の決定の順番は、実施の形態では、Ｋ（黒）→Ｃ（シアン）→Ｍ（マゼンタ）→Ｙ（イエロー）の順に下流の転写出力から決定するのが好ましい。
【００５７】
本実施の形態では、Ｋの制御はすでにＣに先だって実施され、その最適転写出力は決定されているものとする。（ただし、カラー画像形成の場合、Ｋは他の色との重ね合わせを行わないのが普通なので、単色のみのトナーパッチにて、転写出力を決定している。）。
【００５８】
Ｃの転写出力決定に当たっては、下記の条件の下にＹ，Ｍ、Ｃ、Ｙ／Ｍ、Ｙ／Ｃ、Ｍ／Ｃの順にトナーパッチが形成される。この場合、上流、下流に分けるとすれば、Ｙ、Ｍが上流側で、Ｃが下流側とするか、Ｙが上流側で、Ｍ、Ｃが下流側と考えてもよい。
【００５９】
・条件
画像形成装置：      中間転写ベルト方式のカラー複写機（図１参照）
有機感光体：      直径６０ｍｍ
プロセス速度：      ３００ｍｍ／秒
（１次）転写ローラ：      半導電性スポンジ、抵抗１０7Ω、適用電流３０〜８０μＡ
中間転写ベルト：      ＰＩ（ポリイミド）製、体積抵抗が１０9Ω、表面抵抗が                            １０11Ω、ベルトテンション３９．２Ｎ
トナーパッチ：      ２０ｍｍ×３０ｍｍ
以下、Ｃ（シアン）の１次転写出力（電流）決定に当たって、図４のフロー図に従って説明する。
【００６０】
繰り返すが、転写出力決定に係わるＣの転写出力は、３０〜７０μＡまで５μＡ毎に９段階に変化させ、上流側のＹ（イエロー）、Ｍ（マゼンタ）の転写出力値は、それまで通常の画像形成していた値のままである。
【００６１】
図４は、Ｃ（シアン）の転写出力（電流）制御に関するフロー図を示す。
【００６２】
図５は、図４のフロー図の継続を示す。
【００６３】
図６は、図５のフロー図の継続を示す。
【００６４】
図４において、ステップＳ０で、単色（Ｃ）トナー層の転写出力（転写出力決定に係わる転写手段の出力）制御が開始される。ステップＳ１で、Ｙの９個のトナーパッチを感光体上に連続作成する。ステップＳ２で、Ｃの転写手段について転写電流値を３０〜７０μＡまで、５μＡ毎に９段階に変化させ、中間転写ベルト上にＹの９個のトナーパッチをＹの転写出力（不変化）で中間転写ベルト上に転写する。
その後、Ｙの９個のトナーパッチは、Ｃの各電流値と同期をとりながらＣの転写領域を通過させる。ステップＳ３で、トナー濃度検知センサＳＮ１は中間転写ベルト上のＹのトナーパッチの濃度を検知し、図３に示すＹのトナーパッチの転写性曲線（カーブ）を自動で作成する（制御部Ｂ１内において）。すなわち、一定の転写出力で転写されたＹのトナーパッチは、９個共一定の濃度でＣの転写領域前まで搬送されるが、Ｃの転写領域で転写電流が３７μＡ以上ではＣの感光体へ逆転写（トナー戻り）現象が発生し、徐々にＹの濃度が低下する（色味が変化する。）。ステップＳ４で、Ｍの９個のトナーパッチを感光体上に連続作成される。ステップＳ５で、Ｙの場合と同様に、Ｍの９個のトナーパッチをＭの転写出力で中間転写ベルト上に転写する。その後、Ｍの９個のトナーパッチは、Ｃの各電流値と同期をとりながらＣの転写領域を通過する。ステップＳ６で、トナー濃度検知センサＳＮ１は中間転写ベルト上のＭのトナーパッチの濃度を検知し、Ｙと同様に図３に示すＭのトナーパッチ転写性曲線を作成する。すなわち、一定の転写出力で転写されたＭのトナーパッチは、９個共一定の濃度でＣの転写領域前まで搬送されるが、Ｃの転写領域で転写電流が４８μＡ以上ではＣの感光体へ逆転写（トナー戻り）現象が発生し、徐々に濃度が低下する。ステップＳ７で、Ｃの９個のトナーパッチを感光体上に連続形成する。ステップＳ８で、Ｃについて転写電流値を３０〜７０μＡまで、５μＡ毎に９段階に変化（制御）させ中間転写ベルト上に転写する。ステップＳ９で、トナー濃度検知センサＳＮ１は中間転写ベルト上のＣのトナーパッチの濃度を検知し、図３に示すＣパッチ転写性曲線を作成する。
【００６５】
図５に移って、ステップＳ１０で、上流側の２色Ｙ／Ｍの重ね合わせ層の転写出力制御が開始される。ステップＳ１１で、Ｙ、Ｍ各９個のトナーパッチが感光体上に形成される。ステップＳ１２で、Ｃの転写出力は変化させて、Ｙ、Ｍの重ね合わせトナーパッチＲ（レッド）が中間転写ベルト上に形成される。その後、トナーパッチＲは、Ｃの各電流値と同期をとりながらＣの転写領域を通過する。ステップＳ１３で、トナー濃度検知センサＳＮ１は中間転写ベルト上のＹ／Ｍとの重ね合わせトナーパッチ（Ｒ）の濃度を検知し、図３に示すＲパッチ転写性曲線を作成する。Ｒの濃度はＣの転写領域を通過の際、Ｃ転写出力が５４μＡ以上ではＣの感光体へ転写後に逆転写（トナー戻り）のため徐々に濃度が低下して行く。ステップＳ１４で、Ｙ、Ｃ各９個のトナーパッチが感光体上に形成される。ステップＳ１５で、Ｙ、Ｃの重ね合わせトナーパッチＧ（グリーン）が中間転写ベルト上に形成される。この際、Ｃのトナーパッチの転写に当たり、Ｃの転写出力は変化させてＹのトナーパッチ上に転写する。その後、ステップＳ１６で、画像濃度検知センサＳＮ１は中間転写ベルト上のＧのトナーパッチ出力（濃度）を検知し、図３に示すＧパッチ転写性曲線を作成する。Ｇの濃度はＣの転写領域を通過の際（Ｙのトナーパッチ上にＣのトナーパッチを転写する際）、Ｃ転写出力が４３μＡ以下では転写電流不足のため、また、５４μＡ以上ではＣ感光体へ転写後に逆転写（トナー戻り）のため濃度が低下している。ステップＳ１７で、Ｍ、Ｃ各９個のトナーパッチが感光体上に形成される。ステップＳ１８で、Ｍ、Ｃの重ね合わせトナーパッチＢ（ブルー）が中間転写ベルト上に形成される。この際、Ｃのトナーパッチの転写にあたり、Ｃの転写出力は変化させてＭのトナーパッチ上に転写する。その後、ステップＳ１９で、画像濃度検知センサＳＮ１は中間転写ベルト上のＭ／Ｃとの重ね合わせＢのトナーパッチ出力（濃度）を検知し、図３に示すＢトナーパッチ転写性曲線を作成する。Ｂの濃度は、Ｃ転写出力が４３μＡ以下で転写電流値不足のため、また、６７μＡ以上ではＣ感光体へ転写後に逆転写（トナー戻り）のため濃度が低下している。
【００６６】
図６に移って、ステップＳ２０で、Ｃの転写出力決定制御が開始される。ステップＳ２１で、以上図３のような６本のＹ／Ｍ／Ｃ／ＹＭ／ＹＣ／ＣＭのトナーパッチ転写性曲線が制御部より読み出され、Ｃの転写出力決定に入る。ステップ２２で、上記３本（ＹＭ／ＹＣ／ＣＭ）の２色重ね合わせ転写性曲線の中、濃度が最も大きい転写率ピーク領域の中央部電流値以上の値をＸと決める。ステップＳ２３で、中央部電流値Ｘが単色転写曲線（Ｃの転写性曲線）のピーク値の８０％（実施の形態での目標値）以上か否かをチェックする。ステップＳ２３で、ＹＥＳの場合は、ステップ２５でＸがＣの転写出力値として決定される。ＮＯの場合は、Ｘを０．９Ｘに下げ、再度ステップ２３に戻す。それを繰り返し、ステップ２５でＣのピーク値８０％の転写出力値が決定される。
【００６７】
すなわち、図３において、ピーク電流値幅の中央値が最も大きいのはＢ（Ｍ＋Ｃ）となり、転写率ピーク領域は、だいたい４６〜６９μＡになり、幅として２０μＡとなる。したがって、５９μＡ以上を使用することを前提としてある。次に、５９μＡ時のＣ単色の転写性がピークの８０％以上かどうか判断する。本実施の形態では、この時の転写性がピークの８０％以上にある。
【００６８】
以上の条件を考慮すると、本実施の形態では、Ｘ＝５９μＡ近辺がＣの最適転写出力値として決定される。
【００６９】
以上のように、単色と重ね合わせのトナーパッチの情報により、カラー画像が、単色トナーパッチの情報のみより、期待した色味が得られるようになる。
【００７０】
上記と同様な決定方法で、例えば、Ｋ転写電流値制御時には作成トナーパッチを、Ｙ／Ｍ／Ｃ／Ｋ／ＹＭ／ＹＣ／ＭＣ等の７色について、Ｍ転写電流値制御時には作成トナーパッチをＹ／Ｍ／ＹＭ／ＹＣ／ＭＣ等の５色について、Ｙ転写電流値制御時には作成トナーパッチをＹ／ＹＭ／ＹＣ等の３色について、組み合わせて同様なプロセスで最適転写出力値を決定することができる。なお、各転写手段の転写出力は下流側の転写手段から順に決定される。最上流側のＹの転写出力決定に際して、Ｙのトナーパッチと重ね合わせトナーパッチには、決定済みのＫ、Ｃ、Ｍの転写出力が固定値として使用され、Ｙのみの転写出力が変化して全ての１次転写の領域を通過させる。その後、下流で濃度検知され、Ｙの変化に対応したＹ／Ｍ、Ｙ／Ｃの転写性曲線が作成される。
【００７１】
したがって、Ｙ、Ｍ、Ｃ、Ｋそれに上記Ｃの６色を加えると、合計２１色のトナーパッチを作成してすべての転写出力制御が完了する。
【００７２】
以上の実施の形態では、実施例１として感光体から中間転写ベルトに転写する画像形成装置について述べたが、実施例２として感光体から直接転写材（用紙）に転写する直接転写方式の画像形成装置にも本発明を適用することができる。
＜実施例２＞
図７は、直接転写方式のカラー画像形成装置の略図である。
【００７３】
直接転写方式の場合、基本的には感光体上への画像形成方法は中間転写方式と同じ故、説明は省略する。
【００７４】
図７において、Ｙ、Ｍ、Ｃ，Ｋ各色の感光体１０Ａ上に形成された単色、重ね合わせのトナーパッチは、用紙が搬送されないときに用紙搬送ベルト２０Ａ上に各色の転写ローラ２５Ｃによって転写される。転写された各色のトナーパッチは用紙搬送ベルト２０Ａの回動によって搬送され、画像濃度センサＳＮ２で濃度が検知され、その信号が制御部へ伝達される。制御部での各色の転写出力決定の制御は前述した中間転写方式の画像形成装置と同じであるので説明は省略する。
【００７５】
この方式で、下記の条件で、図８（Ｃの転写出力決定に関し）に示すような転写性曲線が作成される。
【００７６】
・条件
画像形成装置：      直接転写方式のカラー複写機（図１参照）
有機感光体：      直径６０ｍｍ
プロセス速度：      ３００ｍｍ／秒
転写ローラ：      半導電性スポンジ、抵抗１０7Ω、適用電流３０〜８０μＡ
用紙搬送ベルト：      シリコンゴム導電材料を分散した厚さ０．５〜２．０ｍｍ                            の半導電性ゴムベルト（無端一枚ベルト）
トナーパッチ：      ２０ｍｍ×３０ｍｍ
これらの条件のもとに、実施例１と同じ条件で、実施例２として、単色、２色重ね合わせトナーパッチ（全２１色）を用紙搬送ベルト２０Ａ上に形成し、その濃度をトナー濃度センサＳＮ２で検知し、各単色の転写出力を決定することができる。
【００７７】
一例として、Ｃ（シアン）の転写出力（電流）決定を行い、図８のような転写性曲線が得られる。
【００７８】
図８は、直接転写方式の場合のＣ転写出力と各色９個のトナーパッチ濃度の関係を示す転写性曲線である。
【００７９】
図８から、２色重ね合わせ転写性カーブ３本の中、最も大きい転写率ピーク領域の中央部電流値以上の領域をＣ（シアン）の最適転写出力値が７７μＡと決定した。
【００８０】
しかしながら、実際は感光体１０Ａと用紙搬送ベルト２０Ａとに挟持された用紙Ｐ上にトナー像を転写するので、直接転写方式の場合は、紙種による補正を別途実施する必要がある。
【００８１】
そこで、この転写基本電流値に対して、表１に示す各用紙の斤量による補正値を付け加えてプリント時の出力とした。
【００８２】
【表１】
2009109716.tif 000003
【００８３】
以上の実施例１、２で説明したように、単色トナーパッチのみならず２色以上の重ね合わせトナーパッチから転写出力（濃度）情報から、各単色の最適な転写出力を決定し、安定したカラー画像形成が可能となる。
【００８４】
なお、上記転写出力補正制御実施のタイミングについては、画像形成動作の回数が所定の枚数に達したとき定期的に行ったり、感光体交換はじめ各種プロセス手段の交換時や、長時間装置が未使用の後、電源が投入された時等に行うのが好ましい。
【図面の簡単な説明】
【００８５】
【図１】画像形成装置の全体構成の一例を示す模式図である。
【図２】中間転写ベルト上の所定位置に形成されたトナーパッチを示す。
【図３】Ｃ転写出力と各色９個のトナーパッチ濃度の関係を示す転写性曲線である。
【図４】Ｃ（シアン）の１次転写出力（電流）決定に関するフロー図を示す。
【図５】図４のフロー図の継続を示す。
【図６】図５のフロー図の継続を示す。
【図７】直接転写方式のカラー画像形成装置の略図である。
【図８】直接転写方式の場合のＣ転写出力と各色９個のトナーパッチ濃度の関係を示す転写性曲線である。
【符号の説明】
【００８６】
１  画像形成手段
１０、１０Ａ  感光体
１１  スコロトロン帯電器
１３  現像器
１６、１６Ｂ  現像スリーブ
２０  中間転写ベルト
２０Ａ  搬送ベルト
２５、２５Ｃ、２６  転写ローラ
Ｂ１  制御部
ＳＮ１、ＳＮ２  画像濃度検知センサ
【図１】
2009109716.tif 000004
【図２】
2009109716.tif 000005
【図３】
2009109716.tif 000006
【図４】
2009109716.tif 000007
【図５】
2009109716.tif 000008
【図６】
2009109716.tif 000009
【図７】
2009109716.tif 000010
【図８】
2009109716.tif 000011